(57)【要約】【課題】  バネとして十分な反発力と変位量を確保でき、木材の収縮が進んでも締め付け強度を長期間維持できる木造建築物における緩み防止具を開発・提供することにある。【解決手段】  バネ部１と、座金部２からなる木造建築物等における緩み防止具であって、バネ部は、長方形のバネ鋼材を素材とし、該バネ鋼材の平面中央部にボルトＸ用の通穴３を設け、該通穴の縁部の一部を切り裂き、ナットＹの緩み止め４を形成し、前記バネ鋼材の両端部をやや折り曲げ、係止部５，５を形成すると共に、両端付近を、それぞれ下方に向けて半円形状の湾曲部６，６をそれぞれ形成し、別個、座金部は、矩形の金属板を素材とし、該座金部の平面中央部に、前記ボルト用の通穴３ａを設け、かつ、前記バネ鋼材の両端に形成した係止部と係止するための係止溝７，７をそれぞれ設けたことを特徴とする木造建築物等における緩み防止具。【選択図】        図２
2005337358.tif 000002
【特許請求の範囲】
【請求項１】
バネ部と、座金部からなる木造建築物等における緩み防止具であって、バネ部は、長方形のバネ鋼材を素材とし、該バネ鋼材の平面中央部にボルト用の通穴を設け、該通穴の縁部の一部を切り裂いて上方に曲げ、ナットの緩み止めを形成し、前記バネ鋼材の両端部をやや折り曲げ係止部を形成すると共に、両端付近を、それぞれ下方に向けて半円形状の湾曲部をそれぞれ形成し、別個、座金部は、矩形の金属板を素材とし、該座金部の平面中央部に、前記ボルト用の通穴を設け、かつ、前記バネ鋼材の両端に形成した係止部と係止するための係止溝をそれぞれ設けたことを特徴とする木造建築物等における緩み防止具。
【請求項２】
バネ部と、座金部とを一体に形成する木造建築物等における緩み防止具であって、長方形のバネ鋼材を素材とし、該バネ鋼材の中央部にボルト用の通穴を設け、該通穴の縁部の一部を切り裂いて上方に曲げ、ナットの緩み止めを形成し、前記バネ鋼材の通穴から所定寸法位置を、それぞれ下方に半円形状に湾曲させ、かつ、前記バネ鋼材の湾曲させて残った残余部分を、それぞれ重合して座金を形成し、これら重合した座金部分であって、前記ボルト用の通穴の対応する位置に、それぞれボルト用の通穴を設けたことを特徴とする木造建築物等における緩み防止具。
【請求項３】
バネ部と、座金部からなる木造建築物等における緩み防止具であって、板バネ材は、円形または角形のバネ鋼材を素材とし、該バネ鋼材の中央部にボルト用の通穴を設け、該通穴の縁部の一部を切り裂いて上方に曲げ、ナットの緩み止めを形成し、かつ、円形または角形のバネ鋼材を中心部を高くなるように、両端部が拡開した逆Ｕ字状に折り曲げて形成し、別個に設ける座金とからなることを特徴とする木造建築物等における緩み防止具。
【請求項４】
バネ部と、座金部からなる木造建築物等における緩み防止具であって、バネ部は、円形または角形のバネ鋼材を素材とし、該バネ鋼材の中央部にボルト用の通穴を穿設し、該通穴の周縁部に、複数のナットの緩み止めを形成し、これら各緩み止めの各右周り先端を上方に折り曲げて形成し、かつこれらナットの緩み止めに連設して、縁部よりバネ鋼材の外周付近に向かって放射状方向に切れ目を入れて、偶数個のバネ辺を形成し、これらバネ辺を、順次、山折り、谷折りと繰り返して、上方と下方とにバネ辺を配置して設け、別個に設ける座金部には前記ボルト用の通穴を設けたことを特徴とする木造建築物等における緩み防止具。
【発明の詳細な説明】
【技術分野】
【０００１】
この発明は、木造建築物等における緩み防止具に関するものである。
【背景技術】
【０００２】
従来、木造建築物等において、耐震補強材等の固定手段は、補強箇所の部材に、金属補強金具であるボルトを貫通させ、ナットで締め付ける方法で行われている。しかし、この方法では、締め付けてから数ケ月から数年経過すると、木材の乾燥が進み、木材が３ｍｍ〜５ｍｍ収縮するためにナットの締め付け強度を弱めてしまう。
【０００３】
そして、この金属補強金具による耐震強度は、ボルト・ナットの締め付けが完全な状態で設定されていても、締め付けが緩んだ状態では耐震強度は維持できない。
【０００４】
しかしながら、施工時間が短く、木材の乾燥が完全な状態で、増す締めをすることはできない。即ち，建物が完成すると、ボルト・ナットは壁で覆われてしまうからである。
【０００５】
さらに、コイル状の圧縮バネと座金とを組み合わせた構造のものや、座金に直接スプリングワッシャーを溶接したもの、ゴムの反発力を用いた物等が存在するが、何れも、バネの反発力と変位量に問題がある。（例えば、特許文献１，特許文献２のように）
【特許文献１】特開平１１−２９４４２４号公報
【特許文献２】特開平１１−３５０５９８号公報
【０００６】
また、バネの回転力を利用して緩んだナットを締め直す装置が考えられているが、高負荷状態ではバネの回転力での増す締めは難しい。しかも、装置の構造が複雑であり、価格も高価となり、締め付けた状態で背が高い。（特許文献３のように）
【特許文献３】特開２００１−２０９３０号公報
【０００７】
建物の外周等に使用される場合、ボルト・ナットを木材表面より隠す必要があり、締め付けた状態で背の高い構造では、木材に深い挫繰りが必要となる、梁等の強度を弱めてしまう等の欠点があった。（特許文献４のように）
【特許文献４】特開２００２−３５５１２５号公報
【発明の開示】
【発明が解決しようとする課題】
【０００８】
そこで、この発明は、バネとして十分な反発力と変位量を確保でき、木材の収縮が進んでも締め付け強度を長期間維持できる木造建築物等における緩み防止具を開発・提供することにある。
【課題を解決するための手段】
【０００９】
そして、この発明は、板バネ部材と座金とからなり、板バネ部材の両端付近を半円形状の湾曲部を形成したり、円形または角形のバネ鋼材を中心部を高くなるように、両端部が拡開した逆Ｕ字状に折り曲げて形成したり、円形または角形のバネ鋼材に、放射状に切れ目を入れて、これら切れ目を、順次、交互に山折り、谷折りを繰り返してバネ部を形成し、板バネ部材の十分な反発力と変位量を確保できる木造建築物における緩み防止具である。
【発明の効果】
【００１０】
この発明によると、鋼材を素材としており、強力な反発力と十分な変位量（α）を確保できるため、木材の収縮が進んでも、締め付け強度を長時間維持できるものである。また、締め付け後の状態が板状となるため、外周部の梁に施す挫繰りが通常の深さでよいため、木材の強度を損なうことがない。また、建物の外周部の梁等にも使用でき、用途は広いものである。さらに、バネとしての変位量（α）が十分に確保されているため、ナット（Ｙ）の増す締めは不要である。また、構造が簡単なため、価格も安価に提供できる。
さらに、バネ部の中央の通穴周辺には、バネ部で形成したナット緩み止めを設けたため、ナットの緩みを防止できる等極めて有益なる効果を奏する。
【発明を実施するための最良の形態】
【００１１】
そこで、この発明の請求項１記載の発明の一実施例を図１（Ａ）（Ｂ）に基づいて詳述すると、バネ部（１）と、座金部（２）からなる木造建築物等における緩み防止具であって、バネ部（１）は、長方形のバネ鋼材を素材とし、該バネ鋼材の平面中央部にボルト（Ｘ）用の通穴（３）を設け、該通穴の縁部の一部を切り裂いて、上方に曲げナット（Ｙ）の緩み止め（４）を形成し、前記バネ鋼材の両端部をやや折り曲げ、係止部（５）（５）を形成すると共に、両端付近を、それぞれ下方に向けて半円形状の湾曲部（６）（６）をそれぞれ形成し、別個、座金部（２）は、矩形の金属板を素材とし、該座金部の平面中央部に、前記ボルト（Ｘ）用の通穴（３ａ）を設け、かつ、前記バネ鋼材の両端に形成した係止部（５）（５）と係止するための係止溝（７）（７）をそれぞれ設けたことを特徴とする木造建築物等における緩み防止具から構成されたものである。
【００１２】
そして、この発明の使用にあたっては、図２（Ａ）に示すように、木材に穿設した穴内に座金部（２）の通穴（３ａ）にボルト（Ｘ）を挿通して座金部（２）を敷設し、その上にバネ部（１）を重合し、座金部（２）の係止溝（７）（７）に、バネ部（１）の係止部（５）（５）がそれぞれ、係止されるようセットし、ナット（Ｙ）を緊締して、図２（Ｂ）に示すように、バネ部（１）の平面が座金部（２）に当接することにより変位量（α）を確保して施工を完了するものである。
【００１３】
つぎに、この発明の請求項２記載の発明の一実施例を図３（Ａ）（Ｂ）（Ｃ）に基づいて詳述すると、バネ部（１Ａ）と、座金部（２Ａ）とを一体に形成する木造建築物等における緩み防止具であって、長方形のバネ鋼材を素材とし、該バネ鋼材の中央部にボルト（Ｘ）用の通穴（３Ａ）を設け、該通穴（３Ａ）の縁部の一部を切り裂いて、上方に曲げ、ナット（Ｙ）の緩み止め（４Ａ）を形成し、前記バネ鋼材の通穴（３Ａ）から所定寸法位置を、それぞれ下方に半円形状の湾曲部（６Ａ）（６Ａ）をそれぞれ形成し、かつ、前記バネ鋼材の湾曲させて残った残余部分を、それぞれ重合して座金部（２Ａ）（２Ａ）を形成し、これら重合した座金部であって、前記ボルト（Ｘ）用の通穴（３Ａ）の対応する位置に、それぞれボルト用の通穴（３Ａａ）（３Ａａ）を設けたことを特徴とする木造建築物等における緩み防止具から構成される。
【００１４】
そして、この発明の使用にあたっては、図４（Ａ）に示すように、木材に穿設した穴内にバネ部（１Ａ）の座金部（２Ａ）（２Ａ）のそれぞれ重合した通穴（３Ａａ）（３Ａａ）にボルト（Ｘ）を挿通して敷設し、ナット（Ｙ）をボルト（Ｘ）に螺合して緊締して、図４（Ｂ）に示すように、バネ部（１Ａ）の平面が座金部（２Ａ）（２Ａ）と当接することにより変位量（α）を確保して施工を完了するものである。
【００１５】
さらに、この発明の請求項３記載の発明の一実施例を図５（Ａ）（Ｂ）に基づいて詳述すると、バネ部（１０）と、座金部（２０）からなる木造建築物等における緩み防止具であって、バネ部は、円形または角形のバネ鋼材を素材とし、該バネ鋼材の中央部にボルト（Ｘ）用の通穴（３０）を設け、該通穴（３０）の縁部の一部を切り裂いて、上方に曲げ、ナット（Ｙ）の緩み止め（４０）を形成し、かつ、円形または角形のバネ鋼材を中心部を高くなるように、両端部が拡開した逆Ｕ字状に折り曲げて形成し、別個に設ける座金部（２０）には、ボルト（Ｘ）用の通穴（３０ａ）を設けたことを特徴とする木造建築物等における緩み防止具から構成されるものである。尚、前記角形のバネ鋼材とは、四角形、六角形、八角形等の形状をいう。
【００１６】
そして、この発明の使用にあたっては、図６（Ａ）に示すように、木材に穿設した穴内に座金部（２０）の通穴（３０ａ）にボルト（Ｘ）を挿通して座金部（２０）を敷設し、その上にバネ部（１０）を重合し、ボルト（Ｘ）にナット（Ｙ）を緊締して、図６（Ｂ）に示すように、バネ部（１０）の平面が座金部（２０）に当接することにより変位量（α）を確保して施工を完了するものである。
【００１７】
そして、さらに、この発明の請求項４記載の発明の一実施例を図７（Ａ）（Ｂ）（Ｃ）に基づいて詳述すると、バネ部（１０Ａ）と、座金部（２０Ａ）からなる木造建築物等における緩み防止具であって、バネ部（１０Ａ）は、円形または角形のバネ鋼材を素材とし、該バネ鋼材の中央部にボルト（Ｘ）用の通穴（３０Ａ）を穿設し、該通穴（３０Ａ）の周縁部に、ナット（Ｙ）の緩み止め（４０Ａ）複数個を形成し、これら各緩み止め（４０Ａ）の各右周り先端を上方に折り曲げて形成し、かつこれらナット（Ｙ）の緩み止め（４０Ａ）に連設して、縁部よりバネ鋼材の外周付近に向かって放射状方向に切れ目（８）を入れ、偶数個のバネ辺（５０）を形成し、下方のバネ辺の先端を滑るように曲げ、これらバネ辺（５０）を、順次、山折り、谷折りと繰り返して、上方と下方とにバネ辺（５０）を配置して設け、別個に設ける座金部（２０Ａ）には前記ボルト（Ｘ）用の通穴（３０ａＡ）を穿設したことを特徴とする木造建築物等における緩み防止具から構成される。尚、前記角形のバネ鋼材とは、四角形、六角形、八角形等の形状をいう。
【００１８】
そして、この発明の使用にあたっては、図８（Ａ）に示すように、木材に穿設した穴内に座金部（２０Ａ）の通穴（３０ａＡ）にボルト（Ｘ）を挿通して座金部（２０Ａ）を敷設し、その上にバネ部（１０Ａ）を重合し、ボルト（Ｘ）にナット（Ｙ）を緊締して、図８（Ｂ）に示すように、バネ部（１０Ａ）の各バネ辺（５０）が座金部（２０Ａ）に当接することにより変位量（α）を確保して施工を完了するものである。
【産業上の利用可能性】
【００１９】
この発明は、これら木造建築物等における緩み防止具の製造技術および製造方法を確立し、かつ寄与する点で、産業上の利用可能性を有する。
【図面の簡単な説明】
【００２０】
【図１】この発明の請求項１の発明の一実施例を示し、（Ａ）は、斜視図であり、（Ｂ）は、図１（Ａ）のａ−ａ断面図である。
【図２】この発明の請求項１の発明の使用状態を示し、（Ａ）は、締め付け前の状態を示す断面図であり、（Ｂ）は、締め付け後の状態を示す断面図である。
【図３】この発明の請求項２の発明の一実施例を示し、（Ａ）は斜視図であり、（Ｂ）は図３（Ａ）のｂ−ｂ断面図であり、（Ｃ）は、展開図である。
【図４】この発明の使用状態を示し、（Ａ）は、締め付け前の状態を示す断面図であり、（Ｂ）は、締め付け後の状態を示す断面図である。
【図５】この発明の請求項３の発明の一実施例を示し、（Ａ）は斜視図であり、（Ｂ）は図５（Ａ）のｃ−ｃ断面図であ。
【図６】この発明の請求項３の発明の使用状態を示し、（Ａ）は、締め付け前の状態を示す断面図であり、（Ｂ）は、締め付け後の状態を示す断面図である。
【図７】この発明の請求項４の発明の一実施例を示し、（Ａ）は、斜視図であり、（Ｂ）は、図７（Ａ）のｄ−ｄ断面図であり、（Ｃ）は展開図である。
【図８】この発明の請求項４の発明の使用状態を示し、（Ａ）は、締め付け前の状態を示す断面図であり、（Ｂ）は、締め付け後の状態を示す断面図である。
【符号の説明】
【００２１】
１，１Ａ，１０，１０Ａ  バネ部
２，２Ａ，２０，２０Ａ  座金部
３，３ａ，３Ａ，３Ａａ，３０，３０ａ，３０Ａ，３０ａＡ  通穴
４，４Ａ，４０，４０Ａ  緩み止め
５  係止部
６，６Ａ  湾曲部
７  係止溝
８  切れ目
５０  バネ辺
α  変位量
Ｘ  ボルト
Ｙ  ナット
【図１】
2005337358.tif 000003
【図２】
2005337358.tif 000004
【図３】
2005337358.tif 000005
【図４】
2005337358.tif 000006
【図５】
2005337358.tif 000007
【図６】
2005337358.tif 000008
【図７】
2005337358.tif 000009
【図８】
2005337358.tif 000010